(57)【要約】【課題】  従来の遮蔽空間作業装置においては、作業手挿入口が固定されているものがほとんどで、動くものがあっても上下動（垂直方向）か左右（水平方向）といった直線的で一方向にしか動かないものしかなかった。従って、作業手を自由に動かしにくかった。【解決手段】本発明は遮蔽空間作業スペースと圧縮空気噴射機と吸込み機と一対の作業手挿入部を備えた遮蔽空間作業装置において、前記各一対の作業手挿入部は、その中央部に開口部が形成された一対の板部材と、前記一対の板部材を、互いに並行で、かつ、距離Ｄだけ離隔した状態で配置するための外枠４と、前記距離Ｄより小さい厚みを有し、前記一対の板部材に形成された開口部より小さい手挿入口が形成された可動リング２と、前記可動リング２を前記手挿入口の中心と前記開口部の中心とが一致する方向に付勢する付勢手段と、を備えることによってこの課題を解決した。【選択図】図１
2011173228.tif 000002
【特許請求の範囲】
【請求項１】
遮蔽空間作業スペースと圧縮空気噴射機と吸込み機と一対の作業手挿入部とを備えた遮蔽空間作業装置において、
前記各一対の作業手挿入部は、
その中央部に開口部が形成された一対の板部材と、
前記一対の板部材を、互いに並行で、かつ、距離Ｄだけ離隔した状態で配置するためのスペーサと、
前記距離Ｄより小さい厚みを有し、前記一対の板部材に形成された開口部より小さい手挿入口が形成された可動リングと、
前記可動リングを前記手挿入口の中心と前記開口部の中心とが一致する方向に付勢する付勢手段と、
を備えた事を特徴とする遮蔽空間作業装置。
【請求項２】
請求項１に記載の遮蔽空間作業装置において、
前記付勢手段は、前記可動リングの外周部に配設された複数の板バネ部材である遮蔽空間作業装置。
【請求項３】
請求項２に記載の遮蔽空間作業装置において、
前記板バネ部材は、前記可動リングを押える板バネと前記板バネを支える板バネ支えとを備える遮蔽空間作業装置。
【請求項４】
請求項１に記載の遮蔽空間作業装置において、
前記付勢手段は、前記可動リングの外周部に配設され、前記可動リングをその中心から外側に牽引する複数のバネである遮蔽空間作業装置。
【請求項５】
請求項１に記載の遮蔽空間作業装置において、
前記付勢手段は、前記可動リングの外周部に配設され、前記可動リングをその中心に向かう方向に押圧する複数のバネである遮蔽空間作業装置。
【発明の詳細な説明】
【技術分野】
【０００１】  本発明は、エアーブロー装置・サンドブラスト装置などの遮蔽空間作業装置における作業手挿入口の可動方式に関する。遮蔽空間作業装置とは、外部と内部を仕切った空間を作って、その空間において作業を行う装置のことを言う。
【背景技術】
【０００２】  従来のエアーブロー装置や集塵ベンチでは前面に開口部があり、そこから手と品物を入れてエアーブローし、ゴミや埃を除去していた。（特許文献１参照。）。
また、別の方法として全面を開口にするのでなく、手だけを挿入することができる穴（作業手挿入口）を二つ開けて、そこに手袋を隙間のない様に取り付けて密閉状態にする方法がある。これはサンドブラスト装置で多く用いられている方法である。作業手挿入口は固定である。
サンドブラスト装置では特許文献２のように作業手挿入口のまわりを蛇腹構造で上下・左右に腕を動かすことのできる仕組みで作っているものもある（特許文献２参照。）。
【先行技術文献】
【特許文献１】  特開２００５−３２４１６９号公報
【０００３】
【特許文献２】  特開２００８−１４２８７２号公報
【発明の概要】
【発明が解決しようとする課題】
【０００４】  前面に開口部があり、そこから手と品物を入れてエアーブローする方法だと、エアーブローする位置や角度によって、前面にゴミや埃が飛び出す可能性がある。それを避けようとすればするほど強力に吸引する空気の流れを作らねばならない。
また、作業手挿入口を使うもう一つの方法だと、装置の中で細かい作業をするときに手を動かし辛く開口部に腕がぶつかってしまう。そのため十分に作業ができない。それを解消する為に考案された特許文献２に記載の発明では、作業者の被作業物を見ることが出来る範囲が小さくなり、作業性が悪くなる。しかも、例えば斜め４５度の方向に動かそうとすると、上記蛇腹構造だと摩擦力によりスムーズに動かない。【０００５】  本発明は、完全にゴミを遮断してなお且つ作業性が良い構造の装置を提供することを目的とする。
【課題を解決するための手段】
【０００６】  被作業物を密閉状態の作業スペースに置き、作業しやすい位置に作業手挿入口を設け、前記作業手挿入口には手袋を嵌め、作業する時にも密閉状態が保たれるようにする。作業手挿入口は作業者の腕の動きに応じてどの角度でもスムーズに動くことが出来る構造になっている。そのために、作業手挿入口のカバーの穴の部分に可動リングを設け作業者の腕は直接可動リングの内径に当たるようにする。可動リング自体は保持物で支えられるようになっており、さらにそれを二枚の板（カバー）で挟み込む構造になっている。挟み込んだ時の前記二枚の板の間のスペースは可動リングの板の厚みより少し大きくしておく。こうすることによって可動リングは腕の力がかからないときは作業手挿入口のほぼ中央に位置し、作業時に腕が動いて可動リングを押したときに可動リングの内径が前記二枚の板の穴の縁まで動くようになる。従って、作業者の作業中に腕を動かせる範囲は前記二枚の板の穴とほぼ等しくなる。【０００７】  また、前記保持物は可動リングを直接支える板バネとそれをさらに支える外枠に取り付けた板バネ支えとで構成される。前記可動リングが作業手に押されて動く際に前記板バネはそれぞれ動きにあわせて変形する。【０００８】  第２の課題解決手段は、板バネを使用した上記の方法だけでなく、可動リングを外側から中心に向かって押圧するバネを取り付けて、前記可動リングの動きに合わせて前記バネが変形する構造にしてもこの目的を達成することが出来る。【０００９】  第３の課題解決手段は、可動リングを外側から引っ張る引きバネを取り付けて、前記可動リングの動きに合わせて前記引きバネが変形する構造にしてもこの目的を達成することが出来る。
【発明の効果】
【００１０】  上述したように、本発明によれば、作業環境からゴミを遮断できると同時に、手挿入口を作業者の動きに応じて任意の位置に移動させることが出来る。このため、遮蔽空間での作業性を向上させることが可能となる。
【図面の簡単な説明】
【００１１】
【図１】  本発明の実施形態を示す作業手挿入口の部分断面図
【図２】  図１のＡ−Ａ断面図
【図３】  図１の作業手挿入口を使った遮蔽空間作業装置の全体図
【図４】  作業手挿入口６に手袋を装着した図
【図５】  図１の板バネの代わりに引きバネを使用した図
【発明を実施するための形態】
【００１２】  以下、本発明の実施形態を図１〜図４に基づいて説明する。
【００１３】  図３は遮蔽空間作業装置の全体図であり、作業手挿入口６が装置の正面にあり作業スペース７の下にはコンプレッサーと掃除機がセットされているコンプレッサー・掃除機収納スペース８があり、一番下に移動キャスター９が付いている。
作業スペース７はフィルターを入れたガラリ以外は基本的に密閉状態となっているが、下部にゴミ・塵などを通す吸込み口がある。作業手挿入口６の穴には手袋が装着されている。
また、作業スペース７にはコンプレッサーから供給された圧縮空気を吹き出すエアーガンが取り付けられている。
作業者は作業手挿入口６の穴から手をいれ、内部のエアーガンを掴んで被清掃物をエアーブローする。
エアーガンによって吹き飛ばされたゴミ・塵などは作業スペース７の下部の吸込み口から掃除機に取り込まれる構造となっている。
【００１４】  図４は手袋が作業手挿入口６の穴に嵌められた状態を示している。
【００１５】  図１は作業手挿入口の部分断面図であり、図２はそのＡ−Ａ断面図である。
図１は作業手挿入口の左右一つずつ有る穴の部分の内部構造でカバー５をはずした状態で図示している。図１の一点鎖線はカバー５の穴を表している。図２では、カバー５は作業手挿入口の前後に一対あって、可動リング２と板バネ１と板バネ支え３と外枠４を挟む形になっている。一対のカバー５の内側の外枠４で可動リング２と板バネ１、板バネ支え３を入れるための隙間を作っている。前記隙間より可動リング２の厚みが小さいので可動リング２はカバー５の間を動くことが出来る。板バネ１は可動リング２を囲むようにして支えている。
【００１６】  図１の構造の詳細を説明する。１は可動リング２の外周で２を支えている板バネで２の中心から点対称となるように４個配置されている。前記板バネ１が変形することによって可動リング２は作業手が可動リング２を押すと同時に動くが、作業手が無いときは前記板バネ１によって元の位置にもどる仕組みとなる。前記板バネ１は可動リング２がよりスムーズに動くように板バネ支え３によって支えられている。板バネ支え３は外枠４に固定されていて、３自体も１によって変形するし、ともに復元する。１も３も前記可動リング２と同様に外枠４よりも少し薄い厚さである。
【００１７】  図５は前記板バネ１の代わりに引っ張りバネ１１を使用して同様の効果が得られる機構の例である。
すなわち、図５に示す実施形態においては、図１に示す実施形態における板バネ１にかえて引っ張りバネ１１を使用している。この実施形態においては２が１１により４方向に引っ張られる構成となっており、これにより可動リング２は作業手が可動リング２を押すと同時に動くが、作業手が無いときは前記板バネ１によって元の位置にもどる仕組みとなる。このときは板バネ支え３はない。引っ張りバネ１１も前記可動リング２と同様に外枠４よりも少し薄い厚さである。
なお、引っ張りバネを押しバネにしても同様の効果が得られる。
【００１８】  なお、上述した実施形態においては、本願発明を遮蔽空間作業装置に適用しているが、本願発明をエアーリュータなどの道具を使用した研磨作業に適用することも可能である。
【符号の説明】
【００１９】  １  板バネ
２  可動リング
３  板バネ支え
４  外枠
５  カバー
６  作業手挿入口
７  作業スペース
８  コンプレッサー・掃除機収納スペース
９  移動キャスター
１０  手袋
１１  引っ張りバネ
【図１】
2011173228.tif 000003
【図２】
2011173228.tif 000004
【図３】
2011173228.tif 000005
【図４】
2011173228.tif 000006
【図５】
2011173228.tif 000007